(57)【要約】      （修正有）【課題】滅菌装置又は洗浄装置の印字部又はデータ出力部を覆うスライドカバーの自由落下を抑制する抑制機構の提供。【解決手段】滅菌装置又は洗浄装置の印字部１４ａ又はデータ出力部の下部に、スライドカバー１６に対向し、スライド方向に伸びるスライドレール３８が設けられ、スライドレールには、スライド方向に伸びるスライド溝４０が設けられ、スライド溝を貫通するガイド４２がスライドカバー下部に設けられ、ガイドには、スライドレールのスライドカバーに対向する面の反対側の面を押圧する第１の押圧部材４６ａと、スライドレールのスライドカバーに対向する面を押圧する第２の押圧部材４６ｂと、第１の押圧部材及び／又は第２の押圧部材をスライドレールに押圧させる一又は複数の付勢部材４８と、が設けられている。【選択図】図５
2019208946.tif 000002
【特許請求の範囲】
【請求項１】
滅菌装置又は洗浄装置の印字部又はデータ出力部を覆うスライドカバーの自由落下を抑制する抑制機構であって、
前記印字部又はデータ出力部の下部には、前記スライドカバーに対向し、スライド方向に伸びるスライドレールが設けられ、
前記スライドレールには、スライド方向に伸びるスライド溝が設けられ、
前記スライド溝を貫通するガイドが前記スライドカバー下部に設けられ、
前記ガイドには、
前記スライドレールの前記スライドカバーに対向する面の反対側の面を押圧する第１の押圧部材と、
前記スライドレールの前記スライドカバーに対向する面を押圧する第２の押圧部材と、
前記第１の押圧部材及び／又は前記第２の押圧部材を前記スライドレールに押圧させる一又は複数の付勢部材と、が設けられていること
を特徴とする抑制機構。
【請求項２】
前記付勢部材はコイルスプリングであって、
前記コイルスプリングの縮む長さを調整して押圧力の調整を図る押圧力調整部材が設けられていること
を特徴とする請求項１記載の抑制機構。
【請求項３】
前記押圧力調整部材は、
前記第１の押圧部材と、前記ガイドの前記第１の押圧部材側の端部との間、及び／又は、前記第２の押圧部材と、前記ガイドの前記第２の押圧部材側の端部との間、に設けられ、
前記コイルスプリングの縮む長さを調整して前記第１の押圧部材及び前記第２の押圧部材による押圧力の調整を図る一又は複数のワッシャーであること
を特徴とする請求項２記載の抑制機構。
【請求項４】
前記ガイドは、ねじであって、
前記押圧力調整部材は、
前記ねじのねじ棒を内部に挿入可能に配置され、前記ねじのねじ頭部から前記ねじが固定される固定部材までの長さを規制することによって、
前記コイルスプリングの縮む長さを調整して前記第１の押圧部材及び前記第２の押圧部材による押圧力の調整を図る中空の筒状部材であること
を特徴とする請求項２又は請求項３記載の抑制機構。
【請求項５】
印字部又はデータ出力部を覆うスライドカバーを備える滅菌装置又は洗浄装置であって、
請求項１〜４いずれか一項に記載の抑制機構が設けられていること
を特徴とする滅菌装置又は洗浄装置。
【発明の詳細な説明】
【技術分野】
【０００１】
本発明は、滅菌装置又は洗浄装置の印字部又はデータ出力部を覆うスライドカバーの自由落下を抑制する抑制機構、これを設けた滅菌装置及びこれを設けた洗浄装置に関する。
【背景技術】
【０００２】
医療器材等の滅菌装置又は洗浄装置において設けられる印字部又はデータ出力部は、缶体内又は洗浄槽内の温度や圧力等を印字・記録し、機種によっては当該記録に関する電子データの出力も行うことができる機構である（特許文献１：特開２０１３−１７２７９０号公報の図面参照）。
【０００３】
これら印字部又はデータ出力部は、一般に、紙製のチャート紙が収容され、又は外部に電子データを出力するためのコネクタの開口部が設けられているため、通常それらを水や埃から保護するためのカバーが設けられている。そして、当該カバーの開閉方式ついては、印字部又はデータ出力部が主として装置前面に設けられることから、同じく装置前面に設けられる開閉扉を開閉させて、被滅菌物又は被洗浄物の出し入れ等を行う際に邪魔にならないように、従来からスライド式によるものが用いられてきた。
【先行技術文献】
【特許文献】
【０００４】
【特許文献１】特開２０１３−１７２７９０号公報
【発明の概要】
【発明が解決しようとする課題】
【０００５】
上記スライド式カバーは、カバーに取付けられたつまみを下げてカバーを開け、つまみを上げてカバーを閉じる上下スライド式のものが知られている。この上下スライド式カバーは、そのままでは重力によってカバーが落下してしまうため、つまみを下げてカバーを開いた際に、カバーを支持することができるストッパー等を設け、また、つまみを上げてカバーを閉じた際に、フレームにカバーを接着させることができるマグネット等を設けることによって、カバーの落下を防止している。
【０００６】
しかしながら、この上下スライド式カバーは、開閉途中でつまみから手を離すと、当該カバーがそのまま自由落下することになる。このとき、当該カバーは、重力加速度を伴って勢いよく落下していく。さらに、最初につまみを下げる際、マグネットを分離する力も加えられているため、落下したカバーは、ストッパーに衝突する際、大きな衝撃を受けることになる。その結果、衝突によって生じた衝撃音が印字部又はデータ出力部が収容される制御ボックスに共鳴して騒音の発生を引き起こしたり、衝撃によってスライドカバーを破損させるおそれがあった。
【課題を解決するための手段】
【０００７】
本発明は、上記事情に鑑みてなされ、滅菌装置又は洗浄装置の印字部又はデータ出力部を覆うスライドカバーについて、開閉途中でつまみから手を離した場合でも自由落下が抑制され、騒音の発生や当該カバーの破損を防止することが可能な、自由落下を抑制する抑制機構を提供することを目的とする。
【０００８】
本発明は、一実施形態として以下に記載するような解決手段により、前記課題を解決する。
【０００９】
本発明に係る抑制機構は、滅菌装置又は洗浄装置の印字部又はデータ出力部を覆うスライドカバーの自由落下を抑制する抑制機構であって、前記印字部又はデータ出力部の下部には、前記スライドカバーに対向し、スライド方向に伸びるスライドレールが設けられ、前記スライドレールには、スライド方向に伸びるスライド溝が設けられ、前記スライド溝を貫通するガイドが前記スライドカバー下部に設けられ、前記ガイドには、前記スライドレールの前記スライドカバーに対向する面の反対側の面を押圧する第１の押圧部材と、前記スライドレールの前記スライドカバーに対向する面を押圧する第２の押圧部材と、前記第１の押圧部材及び／又は前記第２の押圧部材を前記スライドレールに押圧させる一又は複数の付勢部材と、が設けられていることを要件とする。
【００１０】
これによれば、スライドカバー下部に設けられたガイドが、スライドカバーのスライドに連動して、スライドレールにおけるスライド溝を貫通してスライドする際、当該ガイドに設けられた押圧部材（第１の押圧部材及び第２の押圧部材）とスライドレールとの間に働く摩擦力によってスライドカバーの自由落下を抑制することができる。また、押圧部材をスライドレールに押圧させる付勢部材について、付勢力の異なる部材を適用する（交換する）ことによって押圧部材の押圧力を変化させて、スライドカバーの落下速度を調整することができる。
【００１１】
また、前記付勢部材はコイルスプリングであって、前記コイルスプリングの縮む長さを調整して押圧力の調整を図る押圧力調整部材が設けられていることが好ましい。これによれば、上記付勢部材の交換に加えて、押圧力調整部材によってもスライドカバーの落下速度を調整することができる。
【００１２】
また、前記押圧力調整部材は、前記第１の押圧部材と、前記ガイドの前記第１の押圧部材側の端部との間、及び／又は、前記第２の押圧部材と、前記ガイドの前記第２の押圧部材側の端部との間、に設けられ、前記コイルスプリングの縮む長さを調整して前記第１の押圧部材及び前記第２の押圧部材による押圧力の調整を図る一又は複数のワッシャーであることが好ましい。これによれば、押圧力調整部材としてワッシャーを設ける構成によって、ワッシャーの厚さ分付勢部材であるコイルスプリングを縮めることができ、押圧部材をスライドレールに押圧させる付勢力を強めることができる。したがって、ワッシャーの数を増減させ、又は厚さの異なるワッシャーを適用する（交換する）ことによって押圧部材の押圧力を変化させて、スライドカバーの落下速度を調整することができる。
【００１３】
また、前記ガイドは、ねじであって、前記押圧力調整部材は、前記ねじのねじ棒を内部に挿入可能に配置され、前記ねじのねじ頭部から前記ねじが固定される固定部材までの長さを規制することによって、前記コイルスプリングの縮む長さを調整して前記第１の押圧部材及び前記第２の押圧部材による押圧力の調整を図る中空の筒状部材であることが好ましい。これによれば、ねじ棒を中空の筒状部材に挿入した状態でねじを締めると、当該ねじは、ねじ棒先端部の筒状部材から突出する部分でのみ固定部材に固定され、筒状部材そのものがストッパーとなってそれ以上ねじを締めることができない。すなわち、筒状部材の長さによって、押圧部材及び付勢部材であるコイルスプリングが設けられる、ねじ頭部から固定部材までの長さを規制することができるため、長さの異なる通常部材を適用する（交換する）ことによって押圧部材の押圧力を変化させて、スライドカバーの落下速度を調整することができる。
【００１４】
また、本発明に係る滅菌装置又は洗浄装置は、印字部又はデータ出力部を覆うスライドカバーを備える滅菌装置又は洗浄装置であって、以上の本発明に係る抑制機構が設けられていることを要件とする。これによれば、本発明に係る抑制機構を滅菌装置又は洗浄装置に適用することによって、印字部又はデータ出力部を覆うスライドカバーの自由落下が抑制された滅菌装置又は洗浄装置を提供することができる。
【発明の効果】
【００１５】
本発明によれば、スライドカバーの開閉途中でつまみから手を離した場合でも、押圧部材とスライドレールとの間に働く摩擦力によってスライドカバーの自由落下を抑制することができる。したがって、自由落下によって引き起こされる騒音の発生やカバーの破損を防止することができる。
【図面の簡単な説明】
【００１６】
【図１】滅菌装置（制御ボックス）における印字部及びデータ出力部を覆うスライドカバーの例を示す概略図（斜視図）である。
【図２】本発明の実施形態に係るスライドカバーの自由落下を抑制する抑制機構の例であって、スライドカバーが閉じられた状態を示す概略図（正面図）である。
【図３】本発明の実施形態に係るスライドカバーの自由落下を抑制する抑制機構の例であって、スライドカバーが開けられた状態を示す概略図（正面図）である。
【図４】本発明の実施形態に係るスライドカバーの自由落下を抑制する抑制機構の例であって、スライドカバーが開けられた状態を示す概略図（背面図）である。
【図５】本発明の実施形態に係るスライドカバーの自由落下を抑制する抑制機構の例であって、スライドカバーが開けられた状態を示す概略図（側面図）である。
【図６】図４のＩ−Ｉ線断面図におけるＡ部拡大図である。
【発明を実施するための形態】
【００１７】
以下、図面を参照して、本発明の実施形態について詳しく説明する。図１は、滅菌装置１０（制御ボックス１２）における印字部１４ａ及びデータ出力部１４ｂを覆うスライドカバー１６の例を示す概略図（斜視図）である。また、図２〜図５は、制御ボックス１２内部の構成例であって、本発明の実施形態に係るスライドカバー１６の自由落下を抑制する抑制機構３６の例である。このうち、図２はスライドカバー１６が閉じられた状態を正面図で示し、その他はスライドカバー１６が開けられた状態を、図３は正面図で、図４は背面図で、図５は側面図（スライドレール３８及び中継部材４４の一部を不図示）でそれぞれ示す。なお、図６は、図４のＩ−Ｉ線断面についてＡ部を拡大した図である。全図において、同一の機能を有する部材には同一の符号を付し、その繰り返しの説明は省略する場合がある。なお、本発明の実施形態に係る抑制機構３６の適用例として滅菌装置１０を例に挙げて説明するが、洗浄装置に対しても同様に適用することができる。
【００１８】
先ず、図１に示す滅菌装置１０における印字部１４ａ及びデータ出力部１４ｂ（以下、「印字・出力部１４」と称する）は、滅菌装置１０前面に設けられた制御ボックス１２に収容されている。制御ボックス１２は、外板１２ａによって囲まれた方形の収容ボックスであって、実際に滅菌が行われる缶体（不図示）に対し、缶体内の温度や圧力の制御、それに係る操作、表示が行われる機構が収容されている。このうち、使用者によって操作される電源スイッチ２０、又は視認される表示モニター２２等が制御ボックス１２前面に設けられている。一方、印字・出力部１４は、前面のスライドカバー１６（以下、単に「カバー１６」と称する場合がある）によって覆われ、制御ボックス１２内部に収容されている。これによって、紙製のチャート紙（印字部１４ａ）やコネクタの開口部（データ出力部１４ｂ）を水や埃から保護することができる。また、後述するように印字・出力部１４は、スライドカバー１６が開けられた際には滅菌装置１０前面に現れるように配設されている。さらに、本実施形態に係るスライドカバー１６は透明なアクリルガラスで構成されていることによって、カバー１６が閉じられた状態であっても制御ボックス１２内部を視認することが可能になっている。以上の構成によって、印字・出力部１４は、制御ボックス１２内部に配設されて水や埃から保護される一方、制御ボックス１２前面に設けられることの作用効果と同一の効果、すなわち外部から視認することができるという効果も同時に奏している。ただし、スライドカバー１６の素材は限定されず、必ずしも透明な部材が用いられることは要しない。
【００１９】
なお、図１に示すスライドカバー１６は、カバー１６に取付けられたつまみ１８を下げてカバー１６を開け、つまみ１８を上げてカバー１６を閉じる上下スライド式に構成されている。しかしながら、つまみ１８を上げてカバー１６を開き、つまみ１８を下げてカバー１６を閉じる上下スライド式であっても、本発明の実施形態に係る抑制機構３６を上下反転させることによってそのまま適用することができる。上下スライド式によれば、カバー１６が滅菌装置１０前面よりも前方に突出することがないので、制御ボックス１２に隣接して滅菌装置１０前面に設けられる缶体扉（不図示）を開閉させて被滅菌物の出し入れ等を行う際、カバー１６が邪魔になるのを防止することができる。
【００２０】
次に、図２〜図５に示す制御ボックス１２内部には、奥行を有する額状の内部フレーム２４が設けられ、その前面がスライドカバー１６によって覆われる構成になっている。内部フレームの奥板２４ａは、印字・出力部１４の形状に合わせてくり抜かれており、印字・出力部１４が後方から嵌め込まれることによって、スライドカバー１６が開けられた際には滅菌装置１０前面に印字・出力部１４が現れる構成になっている。内部フレーム２４の両側板２４ｂには、後部に翼状部２６と、前部にレール部２８とがそれぞれ左右対称に設けられている。翼状部２６は、外板１２ａにねじ留めされることによって、内部フレーム２４を制御ボックス１２に固定させる。
【００２１】
一方、スライドカバー１６上部には、第１の支持部材３０が左右に並んで設けられている。第１の支持部材３０は、凹状のキャッチでありスライドカバー１６を上部から挟み込んでいる。また、第１の支持部材３０とスライドカバー１６との間には、それぞれ側方から第２の支持部材３２が挿入されて挟み込まれている。第２の支持部材３２は、Ｌ形フック状のキャッチであり、側方から内部フレーム２４のレール部２８を挟み込んだ上で、その先端が第１の支持部材３０に挿入されている。一方、レール部２８を挟み込む基部の隙間には、ローラー（不図示）が車輪をレール部２８に向けて設けられ、車軸を介して第２の支持部材３２に固定されている。
【００２２】
上記構成によって、スライドカバー１６は、第１の支持部材３０及び連結される第２の支持部材３２を介してレール部２８によってその上部を支持することができる。これによって、当該カバー１６が傾くことや倒れることを防止することができる。また、スライドカバー１６のスライドに連動して、レール部２８にローラー（不図示）を走らせることができる。これによって、スライドカバー１６をスムーズに開閉させる（スライドさせる）ことができ、第２の支持部材３２及びレール部２８の摩耗を防止することができる。なお、第１の支持部材３０及び第２の支持部材３２は別々の部材であっても、それらが一体になった一の部材であってもよい。
【００２３】
また、スライドカバー１６下部の背面中央には、マグネット部３４が設けられている。すなわち、スライドカバー１６の上下長さが内部フレーム２４の上下長さに対して長く構成されていることよって、スライドカバー１６が閉じられた状態でカバー１６下部が内部フレーム２４下端から下方に突出し（この突出している部位を「突出部位１６ａ」と称する）、当該突出部位１６ａの背面中央にマグネット部３４が設けられている。これによって、スライドカバー１６が閉じられた状態でマグネット部３４を内部フレーム２４の底面２４ｃに接着させてスライドカバー１６下部を支持することができるとともに、カバー１６が閉じられた状態を維持することができる。さらに、つまみ１８を手に持ってマグネット部３４を分離する力を下方に加えるだけで、簡単にスライドカバー１６を開けることができる。なお、突出部位１６ａの背面には、上記マグネット部３４の他に後述するスライドカバー１６の自由落下を抑制する抑制機構３６が連結されている。これによって、スライドカバー１６が開かれた状態ではマグネット部３４に替わってカバー１６下部を支持することができる。
【００２４】
なお、マグネット部３４は、公知のマグネットキャッチを用いることができる（図６）。マグネットキャッチは、マグネット３４ａと取付部材３４ｂとが一体に構成されているため、スライドカバー１６に対し簡易な方法でマグネット３４ａを取付けることができる。また、取付部材３４ｂの素材によっては緩衝材の役割を果たし、マグネット３４ａの接着音を低減させることができる。マグネット部３４の接着については、内部フレーム２４の底面２４ｃそのものをマグネット部３４が接着可能な部材で構成してもよく、あるいは内部フレーム２４の底面２４ｃのマグネット部３４（マグネットキャッチ）が当接する部位にマグネットキャッチ受けを設ける構成としてもよい。なお、突出部位１６ａにおけるマグネット部３４の位置は限定されず、その大きさ、数量も限定されない。
【００２５】
以上述べた内部フレーム２４は制御ボックス１２に収容されており、側部のレール部２８及び下部の突出部位１６ａは、外板１２ａよって覆われる構成によって、スライドカバー１６が開かれた状態であっても外部から目視することができない。また、スライドカバー１６は、外板１２ａの背部（後部）をスライドされる構成によって、スライドカバー１６が開かれた際には、つまみ１８を有するカバー１６の上部を除いて外部から目視することができない。これによって、デザイン性についても優れた印字・出力部１４及びそれを覆うスライドカバー１６を提供することが可能になる。
【００２６】
続いて、本発明の実施形態に係るスライドカバー１６の自由落下を抑制する抑制機構３６について説明する。図４、図５に示すように印字・出力部１４の下部には、内部フレーム２４の底面２４ｃから、スライドカバー１６に対向し、スライド方向に伸びるスライドレール３８が設けられ、当該スライドレール３８には、スライド方向に伸びるスライド溝４０が設けられている。さらに、スライド溝４０をスライド方向に対して垂直方向に貫通するねじ４２（スクリュー及びボルトを含む）が、中継部材４４を介してスライドカバー１６に連結されている。
【００２７】
具体的には、図６に示すように、ねじ棒４２ｂをスライド溝４０に貫通させ、さらにねじ棒４２ｂ先端部を中継部材４４に貫通させることによって、間接的にねじ４２がスライドカバー１６に連結されている。なお、ねじ４２とスライドカバー１６との連結に係る構成は一例であって、これに限定されない。例えば、中継部材４４を設けずに、ねじ４２をスライドカバー１６に直接連結させる構成としてもよい。あるいは、前方（図５、図６と逆の方向）からねじ４２を進入させ、すなわち、ねじ棒４２ｂを、先ずスライドカバー１６又は中継部材４４に貫通させ、さらにスライド溝４０に貫通させた上で、ねじ棒４２ｂ先端部を留め具（ナット等）で留める構成としてもよい。また、本実施形態で用いられているねじ４２は一例であって、これに限定されず、棒状の部材（ガイド４２）であれば、形状に応じて留め具を併用すること等によって広く適用することができる。
【００２８】
次に、ねじ棒４２ｂに設けられる部材について説明する。図６に示すねじ４２（ねじ棒４２ｂ）には、スライドレール３８のスライドカバー１６に対向する面の反対側の面に当接する第１の押圧部材４６ａと、スライドレール３８のスライドカバー１６に対向する面に当接する第２の押圧部材４６ｂとが設けられている。また、ねじ棒４２ｂ基部に位置する、ねじ頭部４２ａと第２の押圧部材４６ｂとの間には、付勢部材４８が設けられている。
【００２９】
ここで、２つの押圧部材４６（第１の押圧部材４６ａ及び第２の押圧部材４６ｂ）は、スライドレール３８を両側から挟んで、それぞれが当接する面からスライドレール３８を押圧する。これら２つの押圧部材４６の押圧力は、押圧部材４６の外側に設けられる付勢部材４８の付勢力によって生じる。すなわち、ねじ頭部４２ａと、ねじ棒４２ｂ先端部が固定される固定部材とがストッパーになって、ねじ頭部４２ａと固定部材との間の長さは一定に保持される。これによって、ねじ頭部４２ａと固定部材との間において、スライドレール３８を挟む押圧部材４６の外側に付勢部材４８を設けることによって、その付勢力で押圧部材４６を外側からスライドレール３８に押圧させることができる。本実施形態では、ねじ頭部４２ａと第２の押圧部材４６ｂとの間に付勢部材４８を設けることによって第２の押圧部材４６ｂを押圧させているが、固定部材である中継部材４４と第１の押圧部材４６ａとの間に付勢部材４８を設けることによって第１の押圧部材４６ａを押圧させる構成としてもよいし、付勢部材４８を複数設けて、そのいずれも備える構成としてもよい。
【００３０】
以上の構成から、スライドカバー１６をスライドさせると、それに伴ってスライドカバー１６に連結されたねじ４２が、スライドレール３８のスライド方向に伸びるスライド溝４０をスライドする。このとき、当該スライド溝４０を貫通するねじ４２のねじ棒４２ｂに設けられ、スライドレール３８を両側から挟む押圧部材４６には、外側に設けられた付勢部材４８の付勢力によって、スライドレール３８に押圧力が生じている。したがって、押圧部材４６とスライドカバー１６との間に摩擦力が生じ、これによってスライドカバー１６の自由落下を抑制することができる。
【００３１】
また、押圧部材４６をスライドレール３８に押圧させる付勢部材４８について、付勢力の異なる部材を適用する（交換する）ことによって、付勢力を調整することができる。その結果、押圧部材４６の押圧力を調整することができ、スライドカバー１６の落下速度を調整することができる。なお、本実施形態では、付勢部材４８としてコイルスプリングが用いられているが、これに限定されない（以下、付勢部材４８がコイルスプリングであることが前提とされる場合、「付勢部材４８」を、特に「コイルスプリング４８」と称する）。
【００３２】
また、本実施形態では、押圧部材４６としてワッシャー（座金）が用いられているが、これに限定されない。押圧部材４６はスライドレール３８に当接してスライドされるため、耐摩耗性の高いＭＣナイロン（登録商標）素材のワッシャーが用いられ、一方、押圧部材４６がスライドされるスライドレール３８には、耐食性の高いステンレス鋼のレールが用いられているが、いずれもこれらの素材に限定されない。
【００３３】
その他に、本実施形態では、第２の押圧部材４６ｂとコイルスプリング４８との間に、ワッシャー５０が設けられている。これによって、付勢部材４８であるコイルスプリング４８を縮めてその付勢力を強めることができ、その結果、第２の押圧部材４６ｂの押圧力を強めることができる。すなわち、ワッシャー５０は、押圧力調整部材としての作用を有し、一又は複数のワッシャー５０を設ける（又は増やす）ことによって押圧部材４６の押圧力を強め、ワッシャー５０を設けない（又は減らす）ことによって押圧部材４６の押圧力を弱めることができ、これによってスライドカバー１６の落下速度を調整することができる。
【００３４】
なお、本実施形態では、第２の押圧部材４６ｂとコイルスプリング４８との間に１つのワッシャー５０を設ける構成としたが、ワッシャー５０を設ける位置や数は限定されない。そのため、例えば、コイルスプリング４８とねじ頭部４２ａとの間にワッシャー５０を設ける構成としてもよい。また、固定部材である中継部材４４と第１の押圧部材４６ａとの間にワッシャー５０を設ける構成としてもよい。この場合は、第１の押圧部材４６ａの押圧力を調整することができる。ワッシャー５０は、押圧部材４６として設けるワッシャーと異なって、他の部材に当接した状態でスライドされることはないため、素材については、金属、樹脂等広く選択することができる。
【００３５】
さらに、本実施形態では、中空の筒状部材であるカラー５２が、ねじ４２のねじ棒４２ｂを内部に挿入可能に配置され、設けられている。これによって、ねじ４２のねじ頭部４２ａからねじ４２が固定される固定部材である中継部材４４までの長さを規制することによって、コイルスプリング４８の縮む長さを調整し、コイルスプリング４８の付勢力を調整することができ、その結果、押圧部材４６の押圧力を調整することができる。すなわち、カラー５２は、上記ワッシャー５０と同じく押圧力調整部材としての作用を有し、相対的に長いカラー５２を設けた場合には、ねじ頭部４２ａから中継部材４４までの長さが長くなるため、コイルスプリング４８の縮む長さは短くなって付勢力は弱まり、押圧力も弱まる。一方、相対的に短いカラー５２を設けた場合には、ねじ頭部４２ａから中継部材４４までの長さは短くなるため、コイルスプリング４８の縮む長さは長くなって付勢力は強まり、押圧力も強まる。これによって、スライドカバー１６の落下速度を調整することができる。ただし、カラー５２を設けず、ねじ４２の締め具合によってねじ頭部４２ａから中継部材４４までの長さを調整（規制）することも可能である。
【００３６】
また、カラー５２は、押圧力調整部材であるとともに、コイルスプリング４８の芯としてのねじ４２に対する補強部材としての作用も有している。すなわち、ねじ４２は相対的に細いため、芯として安定せず、コイルスプリング４８が真っ直ぐに縮みにくい。その結果、付勢部材４８としてのコイルスプリング４８に十分に付勢力を発揮させることができない。そこで、カラー５２を、ねじ棒４２ｂを内部に挿入可能に配置させるように設けることによって、コイルスプリング４８の芯を安定させ、コイルスプリング４８を真っ直ぐに縮ませて十分に付勢力を発揮させることができる。
【００３７】
以上、説明した通り、本発明に係る抑制機構によれば、スライドカバー下部に設けられたガイドが、スライドカバーのスライドに連動して、スライドレールを、スライド溝を貫通してスライド可能な構成によって、当該ガイドに設けられた押圧部材（第１の押圧部材及び第２の押圧部材）とスライドレールとの間に働く摩擦力によってスライドカバーの自由落下を抑制することができる。
【００３８】
具体的には、スライド溝をスライド方向に対して垂直方向に貫通するねじ（ガイド）が、中継部材を介してスライドカバーに連結されている構成によって、当該ねじがスライドカバーに連動することが可能になっている。また、ねじ頭部と、当該ねじが固定される中継部材（固定部材）とがストッパーとなって、一定の長さに保持されるそれらの部材間に、スライドレールを両側で挟む２つのワッシャー（押圧部材）と、その外側にコイルスプリング（付勢部材）とが配置される構成によって、コイルスプリングの付勢力によりワッシャーに押圧力を生じさせ、その結果、ワッシャーとスライドレールとの間に摩擦力を生じさせることが可能になっている。
【００３９】
これによって、スライドカバー１６の開閉途中でつまみから手を離した場合でも、スライドカバーの自由落下を抑制することができ、自由落下によって引き起こされる騒音の発生やカバーの破損を防止することができる。
【００４０】
また、本発明に係る抑制機構を、滅菌装置又は洗浄装置に適用することによって、印字部又はデータ出力部を覆うスライドカバーの自由落下が抑制された滅菌装置又は洗浄装置を提供することができる。
【００４１】
さらに、付勢力の異なる付勢部材を適用することによってスライドカバーの落下速度を調整することができる。また、付勢部材としてコイルスプリングを用いた場合には、一又は複数のワッシャーや長さの異なるカラーを適用することによって、コイルスプリングの縮む長さを調整し、スライドカバーの落下速度を調整することができる。さらに、スライドカバーの落下速度を調整する押圧部材とスライドレールとの間に働く摩擦は、スライドカバーの開閉操作の際、つまみを持った手に抵抗感として伝わるため、当該摩擦力が相対的に大きい場合、手に相対的に大きな抵抗感を感じることになる。そのため、摩擦力すなわち落下速度を調整することによって、適当な抵抗感で開閉操作を行うことができるスライドカバーを提供することが可能になる。
【００４２】
なお、本発明は、以上説明した実施形態に限定されることなく、本発明を逸脱しない範囲において種々変更可能である。
【符号の説明】
【００４３】
１０  滅菌装置
１２  制御ボックス
１４  印字・出力部
１４ａ  印字部
１４ｂ  データ出力部
１６  スライドカバー
１６ａ  突出部位
１８  つまみ
２４  内部フレーム
２４ａ  奥板
２４ｂ  側板
２４ｃ  底面
２６  翼状部
２８  レール部
３０  第１の支持部材
３２  第２の支持部材
３４  マグネット部
３６  抑制機構
３８  スライドレール
４０  スライド溝
４２  ねじ（ガイド）
４２ａ  ねじ頭部
４２ｂ  ねじ棒
４４  中継部材
４６  押圧部材
４６ａ  第１の押圧部材
４６ｂ  第２の押圧部材
４８  付勢部材（コイルスプリング）
５０  ワッシャー
５２  カラー
【図１】
2019208946.tif 000003
【図２】
2019208946.tif 000004
【図３】
2019208946.tif 000005
【図４】
2019208946.tif 000006
【図５】
2019208946.tif 000007
【図６】
2019208946.tif 000008